【手続補正書】
【提出日】平成31年4月24日(2019.4.24)
【手続補正１】
【補正対象書類名】明細書
【補正対象項目名】００４７
【補正方法】変更
【補正の内容】
【００４７】
別の用途において、熱交換器は、低温熱脱塩（ＬＴＴＤ）プラントを運転するために利用される。このプロセスでは、塩水は、最初に、熱水により運転される１つ又は２つ以上の熱交換器１２，１３，１４で水蒸気と濃縮塩水に分離され、次いで場合によっては蒸気で加熱された１つ以上の熱交換器１９，１９ａで分離される（図７参照）。このプロセスでは、熱水又は蒸気のエネルギー含有量が熱交換器１２の下流で減少すること、及び、好ましくは圧力も低下することが考慮されなければならず、ポンプ１８ａを利用することによって圧力の減少をさらに促進してもよい。このプロセスの最後のステップとして、最後の熱交換器の出口に残っている蒸気を凝縮させる凝縮器が適用される。この凝縮器は、例えば、冷却媒体として新鮮な海水を用いて冷却できる。
【手続補正２】
【補正対象書類名】明細書
【補正対象項目名】００５９
【補正方法】変更
【補正の内容】
【００５９】
少なくとも１つの燃焼装置２４，２４ａを出る煙道ガス流のエネルギー含有量は、少なくとも１つの下流煙道ガスエネルギー利用装置において、任意選択的に触媒処理後に、さらに利用される。燃焼プロセスからの煙道ガス流は、概して、５００℃よりも高い数百℃の温度を有し、そのエネルギー含有量は、熱源として、又は、さらなる発電のために、例えば１つ又は複数のＯＲＣプロセスで利用することができる。現在のところ、熱源としての利用が好ましい。
【手続補正３】
【補正対象書類名】明細書
【補正対象項目名】００８１
【補正方法】変更
【補正の内容】
【００８１】
０            帯水層
１            地熱プラント
１０          汲上設備／汲上装置
１００        汲上ボアホール
１１          ガス分離装置（セパレーター）
１１ａ        原油分離装置（オイルセパレーター）
１２〜１４    熱水の熱エネルギーを利用するための装置又は設備、特に熱交換器
１５，１６    低圧蒸気エンジンもしくは廃熱発電設備又は特にＯＲＣ発電プラントのような、発電のために熱水の熱エネルギーを利用するための装置／設備／プラント
１７          再循環パイプ／再注入パイプ
１８          ポンプ
１８ａ        ＬＴＴＤプロセスにおけるわずかな圧力低下のためのポンプ
１９，１９ａ  ＬＴＴＤプロセスにおいて蒸気に含まれるエネルギーを利用するための熱交換器
２０          凝縮器又はＯＲＣ発電設備
２１          ガスの熱エネルギーを利用するための装置（熱交換器）
２２          ガスを乾燥させて凝縮水を除去し、任意選択的にガスの熱エネルギーを利用するための装置（凝縮器）
２３          混合装置
２４，２４ａ  （ガス）燃焼装置
２５，２５ａ  （電気）ジェネレーター
２６          ガスを予熱するための熱交換器
２７          煙道ガス処理設備／煙道ガス処理装置／煙道ガス触媒及びラムダセンサー
２８／２９    煙道（排気）ガス中の熱エネルギーを利用するための装置／煙道ガスエネルギー利用装置、特に熱交換器
３０          ガススクラバー装置、ガススクラバー（アミンスクラバー、アミンスクラバー装置）
３１          炭酸アンモニウムの分解のための装置（アミンクッカー）
３２          凝縮器
３３          圧縮機
３４          混合装置、特にトリクルスクラバー
３５          再注入ポンプ
４０          再循環装置／隔離装置
４００        再注入ボアホール
Ａ            帯水層流体／ガス（Ｔ＋Ｇ）を含む熱水
Ｔｉ          帯水層流体の初期温度
ｐｉ          初期圧力
Ｔ            熱水
Ｔｆ          冷却された脱気熱水の温度
Ｔｒ          再循環されたＣＯ２含有熱水の温度
ｐｒ          煙道ガス含有熱水についての再注入圧力
Ｇ            ガス
Ｅ            原油
Ｌ            汲上ボアホールと再注入ボアホールの間の距離
本発明に関連する発明の実施態様の一部を以下に示す。
［態様１］
ガス（Ｇ）及び場合により原油（Ｅ）と混じり合った地熱熱水（Ｔ）を含む帯水層流体（Ａ）の内部エネルギーを閉回路内で利用する方法であって、
−  汲上設備（１０）によって帯水層（０）から帯水層流体（Ａ）を生じさせる工程、
−  ガス分離装置（１１）において前記帯水層流体（Ａ）を脱気することによりガス（Ｇ）を分離して脱気された熱水（Ｔ）を生じさせる工程、
−  任意選択的に、原油（Ｅ）を分離して、油フリーの脱気された熱水（Ｔ）をもたらす工程、
−  熱交換機（１２，１３，１４）及び／又はＯＲＣ発電プラントのような、熱エネルギーを利用するための少なくとも１つの装置／設備において、前記脱気された熱水（Ｔ）の熱エネルギーを利用する工程、さらに、
−  少なくとも１つの燃焼装置（２４，２４ａ）、特にガスエンジン、及び、任意選択的に、ディーゼルエンジンにおいて、分離されたガス（Ｇ）、及び、任意選択的に、分離された原油（Ｅ）を用いて、少なくとも１回の燃焼プロセスを実施するとともに、少なくとも１つのジェネレーター（２５，２５ａ）を運転することによって、前記ガス（Ｇ）及び任意選択的に原油（Ｅ）の内部エネルギーを利用する工程、
−  冷却された煙道ガスからＣＯ２を分離するためのガススクラバー、特に、炭酸アンモニウムを分解し、そして好ましくはアミンスクラバー（３０）にアミンを再循環させるための下流に配置された装置（３１）とともにアミンスクラバー（３０）を備えた煙道ガス浄化装置によって、前記煙道ガスから望ましくない物質を除去する工程、及び
−  ＣＯ２及び冷却された熱水（Ｔ）を帯水層（０）中に再注入する工程、
により特徴づけられる方法。
［態様２］
ガス（Ｇ）及び任意選択的に原油（Ｅ）を燃焼用空気と混合するための混合装置（２３）が、前記少なくとも１つの燃焼装置（２４，２４ａ）の上流に配置されており、混合比が煙道ガスの流れの中に配置されたラムダセンサーによって調節される、上記態様１に記載の帯水層流体（Ａ）の内部エネルギーを利用する方法。
［態様３］
前記少なくとも１つの燃焼装置（２４，２４ａ）に供給される前のガス−空気混合物もしくは原油−空気混合物又は原油−ガス混合物が熱交換器（２６）において予熱される、上記態様１又は２に記載の帯水層流体（Ａ）の内部エネルギーを利用する方法。
［態様４］
煙道ガスの浄化が、前記燃焼装置（２４）の下流にある煙道ガス浄化装置（２７）、特に触媒において実施される、上記態様１〜３のいずれか一つに記載の帯水層流体（Ａ）の内部エネルギーを利用する方法。
［態様５］
少なくとも１つのジェネレーター（２５）の運転に加えて、前記ガス（Ｇ）及び任意選択的に原油（Ｅ）の内部エネルギーの利用が、発電後の前記煙道ガスの排熱中の熱エネルギーを少なくとも１つのさらなる煙道ガスエネルギー利用装置、特に少なくとも１つの熱交換器（２８，２９）において利用することを含む、上記態様１〜４のいずれか一つに記載の帯水層流体（Ａ）の内部エネルギーを利用する方法。
［態様６］
分離されたガス（Ｇ）の熱エネルギー、及び、任意選択的に、分離された原油（Ｅ）の熱エネルギーが、その燃焼前に、熱エネルギーを利用するための少なくとも１つの装置、特に少なくとも１つの熱交換機（２１）において利用される、上記態様１〜５のいずれか一つに記載の帯水層流体（Ａ）の内部エネルギーを利用する方法。
［態様７］
少なくとも１つの熱交換器（１２，１３，１４）が、少なくとも１つの循環された熱媒体を加熱するため、及び／又は、脱塩プロセスを特にＬＴＴＤプロセスに従って実施するために利用される、上記態様１〜６のいずれか一つに記載の帯水層流体（Ａ）の内部エネルギーを利用する方法。
［態様８］
発電後の前記煙道ガスの廃熱中の熱エネルギーが、脱塩用の少なくとも１つの熱交換器において利用される、上記態様１〜７のいずれか一つに記載の帯水層流体（Ａ）の内部エネルギーを利用する方法。
［態様９］
帯水層流体（Ａ）の汲上げとＣＯ２及び熱水（Ｔ）の再注入が、それぞれ少なくとも１つの汲上ボアホール又は少なくとも１つの再注入ボアホール（１００，４００）を介して実施され、各ボアホールにそれぞれ汲上設備又は再注入設備（１０，４０）が備えられている、上記態様１〜８のいずれか一つに記載の帯水層流体（Ａ）の内部エネルギーを利用する方法。
［態様１０］
各汲上設備又は再注入設備が、それぞれ、任意選択的に、汲上げ又は再注入のために役割を果たすことができるようなものである、上記態様１〜９のいずれか一つに記載の帯水層流体（Ａ）の内部エネルギーを利用する方法。
［態様１１］
帯水層流体（Ａ）の汲上げが、いくつかの汲上ボアホール（１００）を介して同時に実施され、再注入がいくつかの再注入ボアホール（４００）を介して同時に実施される、上記態様１〜１０のいずれか一つに記載の帯水層流体（Ａ）の内部エネルギーを利用する方法。
［態様１２］
ＣＯ２が再注入前に超臨界状態に圧縮され、帯水層（０）中へのｓｃＣＯ２及び冷却された熱水の再注入が、帯水層内の圧力がＣＯ２が超臨界状態のまま存在するような圧力である深さまで別々に実施される、上記態様１〜１２のいずれか一つに記載の帯水層流体（Ａ）の内部エネルギーを利用する方法。
［態様１３］
ＣＯ２が、特に、トリクルスクラバーのような混合装置（３４）によって、冷却された熱水（Ｔ）中に供給され、次に、ＣＯ２と混合された熱水が帯水層（０）中に再注入される、上記態様１〜１１のいずれか一つに記載の帯水層流体（Ａ）の内部エネルギーを利用する方法。
［態様１４］
ＣＯ２が前記冷却された熱水中に供給され、二酸化炭素と混合された熱水の再注入時の気泡の形成が、ＣＯ２が熱水に完全に溶解するように二酸化炭素の再循環圧力（ｐｒ）及び再循環温度（Ｔｒ）が選択されることで妨げられる、上記態様１〜１１及び１３のいずれか一つに記載の帯水層流体（Ａ）の内部エネルギーを利用する方法。
［態様１５］
完全に閉じたプロセス管理によって、酸素とＣＯ２及び前記冷却された熱水との混合、又は、酸素と、ＣＯ２と混合された前記冷却された熱水との混合、及び、それにより再注入時に帯水層（０）が汚染されることが防止される、上記態様１〜１４のいずれか一つに記載の帯水層流体（Ａ）の内部エネルギーを利用する方法。
［態様１６］
帯水層流体（Ａ）を分離装置（１１）に供給する前に、分離装置（１１）の上流に配置された、圧力を電気に変換する圧力解放装置において、帯水層流体（Ａ）の圧力を解放する、上記態様１〜１５のいずれか一つに記載の帯水層流体（Ａ）の内部エネルギーを利用する方法。
［態様１７］
前記ガス（Ｇ）に加えて、前記帯水層流体（Ａ）も前記熱水（Ｔ）中に原油（Ｅ）を含む、上記態様１〜１６のいずれかに記載の帯水層（Ａ）の内部エネルギーを利用する方法。
［態様１８］
閉回路内で帯水層（０）からのガス（Ｇ）及び場合により原油（Ｅ）と混じり合った熱水（Ｔ）の内部エネルギーを利用するための地熱プラントであって、
−  帯水層流体（Ａ）のための少なくとも１つの汲上設備（１０）、
−  帯水層流体（Ａ）を熱水（Ｔ）とガス（Ｇ）とに分離するためのガス分離装置（１１）、
−  任意選択的に、すでに脱気された熱水（Ｔ）から原油を分離するための分離装置（１１ａ）、
−  熱水（Ｔ）に含まれる熱エネルギーを、循環された熱媒体を加熱するために利用するための、少なくとも１つの熱交換器（１２，１３，１４）のような、熱エネルギーを利用するための少なくとも１つの装置、及び／又は、発電のために熱エネルギーを利用するための少なくとも１つの設備、特にＯＲＣ発電プラント（１５，１６）、及び／又は、脱塩プラント、特にＬＴＴＤプロセスに従って運転される脱塩プラントを運転するための少なくとも１つの設備、
−  分離されたガスのための燃焼装置（２４）であって、少なくとも１つの発電用ジェネレーター（２５）に結合された燃焼装置（２４）、特にガスエンジン、
−  任意選択的に、分離された原油のための燃焼装置（２４ａ）であって、少なくとも１つの発電用ジェネレーター（２５ａ）に結合された燃焼装置（２４ａ）、特にディーゼルエンジン、
−  煙道ガス流中の熱エネルギーを利用するための少なくとも１つの装置（２８，２９）、
−  煙道ガス流の熱エネルギーを利用するための少なくとも１つの装置（２８，２９）の下流の煙道ガス流中に配置されたＣＯ２を分離するためのガススクラバー（３０）、
−  ガススクラビング後に得られたＣＯ２を、圧縮器に送り、次いで混合装置を介して、好ましくはトリクルスクラバー（３４）を介して、少なくとも１つの熱交換器（１４）から出た熱水用の再循環ライン（１７）に又はＯＲＣ発電プラントもしくは脱塩プラントに送るための供給／フィードライン、あるいは、ＣＯ２を、ＣＯ２を超臨界状態にするための圧縮器に送り、次いで、熱水（Ｔ）用の供給／フィードライン（１７ｂ）とは別個のｓｃＣＯ２用の供給／フィードライン（１７ａ）に送るかかる供給／フィードライン、これらの供給／フィードラインは両方とも帯水層（０）中に通じている、
−  再注入ボアホール（４００）を通じて二酸化炭素及び冷却された熱水を帯水層（０）中に再注入するための少なくとも１つの再循環設備（４０）、
を備える地熱プラント。
［態様１９］
前記地熱プラントは、前記ガス又は前記ガス及び前記原油を燃焼用空気と混合するために、前記少なくとも１つの燃焼装置（２４，２４ａ）の上流に混合装置（２３）を備える、上記態様１８に記載の地熱プラント。
［態様２０］
前記地熱プラントは、前記燃焼装置の下流に、触媒のような煙道ガス処理／浄化装置（２７）を備える、上記態様１８又は１９に記載の地熱プラント。
［態様２１］
前記燃焼装置（２４）がガスエンジンであり、前記煙道ガス処理装置（２７）が触媒及びラムダセンサーを備え、ラムダセンサーの測定値に依存して酸素の混合を調節する混合装置（２３）が燃焼装置（２４）の上流に配置されており、それによって、制御された燃焼を可能にする、上記態様１８〜２０のいずれか一つに記載の地熱プラント。
［態様２２］
少なくとも１つの熱交換器（２８，２９）が前記煙道ガス流中に配置されている、上記態様１８〜２１のいずれか一つに記載の地熱プラント。
［態様２３］
前記プラントは、人為的発生源からのさらなる二酸化炭素のための供給／フィードラインを、前記さらなる二酸化炭素を前記煙道ガスに供給可能であるように、好ましくはガススクラバー（３０）の上流に備え、それにより、前記さらなる二酸化炭素を、混合装置、特にトリクルスクラバー（３４）によって、煙道ガスからのＣＯ２とともに、前記冷却された熱水中に溶解させ、再循環設備（４０）によって帯水層（０）中に再循環させることができるか、あるいは、前記さらなる二酸化炭素を、前記煙道ガスからのＣＯ２とともに、超臨界状態にするための圧縮器に供給し、次いで、ｓｃＣＯ２用の再循環ライン／パイプ（１７ａ）を介して帯水層中に再循環させることができる、上記態様１８〜２２のいずれか一つに記載の地熱プラント。
［態様２４］
前記少なくとも１つの汲上設備（１０）及び前記少なくとも１つの再循環設備（４０）は、各々が汲上げに適合されたものと再注入に適合されたものとの２つのポンプを備えており、汲上げ用のポンプが分離装置（１１）に接続されており、再注入用のポンプが再循環ライン（１７，１７ａ、１７ｂ）に接続されていることにより、プロセス方向を逆転させることができる、上記態様１８〜２３のいずれか一つに記載の地熱プラント。
［態様２５］
発電用の設備が、セパレーター（１１）の下流に配置され、特にＯＲＣ発電プラント（１５，１６）である、上記態様１８〜２４のいずれか一つに記載の地熱プラント。
［態様２６］
前記熱水の熱エネルギーを利用するための熱交換機（１２，１３，１４）のうちの少なくとも１つ、及び／又は、前記煙道ガス流中に配置された熱交換器が、脱塩プラント、特にＬＴＴＤプロセスに従って運転される脱塩プラントの一部である、上記態様１８〜２５のいずれか一つに記載の地熱プラント。
［態様２７］
圧力解放装置が、分離装置（１１）の上流に位置しており、帯水層流体（Ａ）の圧力が部分的に電気に変換される、上記態様１８〜２６のいずれか一つに記載の地熱プラント。
［態様２８］
下記のさらなる装置／設備（ｉ）〜（viii）のうちの少なくとも１つ、好ましくは１つより多く、最も好ましくは全てによってアップグレードすることによる、帯水層流体（Ａ）のエネルギー利用のための既存の地熱プラントの改良又は改造方法：
（ｉ）分離装置（１１）、当該分離装置において、大きな表面積、前記温度、及び任意選択的に圧力下で生じた帯水層流体の放出を生じさせることによって、熱水（Ｔ）からのガス（Ｇ）の分離が実施されるか、あるいは、熱水（Ｔ）からのガス（Ｇ）の分離が大きな表面積を有するセパレーター（１１）内の圧力下で実施され、このガス分離装置では、ガスＧが、Ｔｉと同様の温度で出て、熱エネルギーを利用するための少なくとも１つの装置、特に熱交換機／凝縮器（２１，２２）で任意選択的に利用される、
（ii）下流ジェネレーターを有するガスエンジン及び／又はＯＲＣ発電プラントのような、少なくとも１つの発電用装置、
（iii）煙道ガス中に含まれるエネルギーを利用するための少なくとも１つの熱交換器、
（iv）（ａ）帯水層（０）中への前記冷却された熱水の再注入前に前記冷却された熱水中にＣＯ２を供給するため、又は（ｂ）ＣＯ２が超臨界状態に達し、帯水層（０）中への直接再注入までＣＯ２を圧縮するための圧縮器に結合されたガススクラバー（３０）であって、当該ガススクラバーは、特にアミンスクラバー（３０）であり、アミンスクラバーで形成された炭酸アンモニウムを分解（アミンクッキング）し、そして好ましくは前記ガススクラバーにアミンを再循環させるために下流の装置（３１）に結合されたガススクラバー（３０）、
（ｖ）ＣＯ２と熱水を混合するためのトリクルスクラバー（３４）、
（vi）ガス及び任意選択的に原油を、燃焼装置（２４，２４ａ）及び／又は煙道ガス浄化装置（２７）の上流、少なくとも１つの燃焼装置（２４，２４ａ）の下流で、燃焼用空気と混合するための混合装置（２３）、前記煙道ガス浄化装置（２７）は、少なくとも１つの触媒と、前記ガスと燃焼用空気との燃焼／予混合を制御するためのラムダセンサーとを備える、
（vii）帯水層流体が原油を含まず、ガスを含まないか又は十分なガスを含まない場合には、前記地熱プラントをＣＣＳ（炭素捕獲及び貯蔵）プロセスに利用できるように、天然ガス又は原油を混合装置（２３）又は少なくとも１つの燃焼装置（２４，２４ａ）に供給するための天然ガスパイプライン又は原油パイプラインへの接続ライン、
（viii）ＬＴＴＤプロセスによって運転される脱塩プラントのような脱塩プラント、特に海水の脱塩用プラントとのカップリング、
（ix）帯水層が非常に高圧下にある場合には、分離装置の上流にある、圧力を電気に変換する圧力解放装置。
【手続補正４】
【補正対象書類名】特許請求の範囲
【補正対象項目名】全文
【補正方法】変更
【補正の内容】
【特許請求の範囲】
【請求項１】
ガス（Ｇ）及び場合により原油（Ｅ）と混じり合った地熱熱水（Ｔ）を含む帯水層流体（Ａ）の内部エネルギーを閉回路内で利用する方法であって、
−  汲上設備（１０）によって帯水層（０）から帯水層流体（Ａ）を生じさせる工程、
−  ガス分離装置（１１）において前記帯水層流体（Ａ）を脱気することによりガス（Ｇ）を分離して脱気された熱水（Ｔ）を生じさせる工程、
−  任意選択的に、原油（Ｅ）を分離して、油フリーの脱気された熱水（Ｔ）をもたらす工程、
−  熱エネルギーを利用するための少なくとも１つの装置又は設備において、前記脱気された熱水（Ｔ）の熱エネルギーを利用する工程、
−  少なくとも１つの燃焼装置（２４，２４ａ）において、分離されたガス（Ｇ）、及び、任意選択的に、分離された原油（Ｅ）を用いて、少なくとも１回の燃焼プロセスを実施するとともに、少なくとも１つのジェネレーター（２５，２５ａ）を運転することによって、前記少なくとも１つの燃焼プロセスによって発生した煙道ガスの内部エネルギーを利用する工程、
−  前記煙道ガスが冷却された後に、冷却された前記煙道ガスからＣＯ２を分離するためのガススクラバーを備えた煙道ガス浄化装置によって、前記煙道ガスから望ましくない物質を除去する工程、及び
−  ＣＯ２及び冷却された前記熱水（Ｔ）を帯水層（０）中に再注入する工程、
により特徴づけられ、
ガス（Ｇ）及び任意選択的に原油（Ｅ）を燃焼用空気と混合するための混合装置（２３）が前記少なくとも１つの燃焼装置（２４，２４ａ）の上流に配置されており、混合比が煙道ガスの流れの中に配置されたラムダセンサーによって調節され、
前記少なくとも１つの燃焼装置（２４，２４ａ）に供給される前のガス−空気混合物もしくは原油−空気混合物又は原油−ガス混合物が熱交換器（２６）において予熱され、
煙道ガスの浄化が、前記燃焼装置（２４）の下流にある煙道ガス浄化装置（２７）において実施される、
方法。
【請求項２】
熱エネルギーを利用するための前記少なくとも１つの装置又は設備が、熱交換器、有機ランキンサイクル（ＯＲＣ）発電プラント、又はそれらの組み合わせから選択される、請求項１に記載の帯水層流体（Ａ）の内部エネルギーを利用する方法。
【請求項３】
前記少なくとも１つの燃焼装置（２４，２４ａ）が、ガスエンジンであるか、又は、ガスエンジンとディーゼルエンジンである、請求項１又は２に記載の帯水層流体（Ａ）の内部エネルギーを利用する方法。
【請求項４】
前記ガススクラバーがアミンスクラバーであり、前記アミンスクラバーで形成された炭酸アンモニウムを分解するための装置が前記アミンスクラバーの下流に配置されている、
請求項１〜３のいずれか一項に記載の帯水層流体（Ａ）の内部エネルギーを利用する方法。
【請求項５】
前記煙道ガス浄化装置が触媒である、請求項１〜４のいずれか一項に記載の帯水層流体（Ａ）の内部エネルギーを利用する方法。
【請求項６】
少なくとも１つのジェネレーター（２５）の運転に加えて、前記ガス（Ｇ）及び任意選択的に原油（Ｅ）の内部エネルギーの利用が、発電後の少なくとも１つの煙道ガスの排熱中の熱エネルギーを少なくとも１つのさらなる煙道ガスエネルギー利用装置において利用することを含む、請求項１〜５のいずれか一項に記載の帯水層流体（Ａ）の内部エネルギーを利用する方法。
【請求項７】
前記少なくとも１つの煙道ガスエネルギー利用装置が少なくとも１つの熱交換器である、請求項６に記載の帯水層流体（Ａ）の内部エネルギーを利用する方法。
【請求項８】
少なくとも１つの熱交換器（１２，１３，１４）が、少なくとも１つの循環された熱媒体を加熱するため、及び／又は、脱塩プロセスを実施するために利用される、請求項１〜７のいずれか一項に記載の帯水層流体（Ａ）の内部エネルギーを利用する方法。
【請求項９】
前記脱塩プロセスが低温熱脱塩（ＬＴＴＤ）プロセスである、請求項８に記載の帯水層流体（Ａ）の内部エネルギーを利用する方法。
【請求項１０】
前記帯水層（０）から帯水層流体（Ａ）を生じさせる工程と、ＣＯ２及び冷却された前記熱水（Ｔ）を前記帯水層（０）に再注入する工程が、それぞれ少なくとも１つの汲上ボアホール又は少なくとも１つの再注入ボアホール（１００，４００）を介して実施され、各ボアホールにそれぞれ汲上設備又は再注入設備（１０，４０）が備えられている、請求項１〜９のいずれか一項に記載の帯水層流体（Ａ）の内部エネルギーを利用する方法。
【請求項１１】
前記帯水層（０）から帯水層流体（Ａ）を生じさせる工程が、いくつかの汲上ボアホール（１００）を介して同時に実施され、前記再注入がいくつかの再注入ボアホール（４００）を介して同時に実施される、請求項１〜１０のいずれか一項に記載の帯水層流体（Ａ）の内部エネルギーを利用する方法。
【請求項１２】
ＣＯ２が再注入前に超臨界状態に圧縮され、前記帯水層（０）中へのｓｃＣＯ２及び冷却された前記熱水の再注入が、前記帯水層内の圧力がＣＯ２が超臨界状態のまま存在するような圧力である深さまで別々に実施される、請求項１〜１１のいずれか一項に記載の帯水層流体（Ａ）の内部エネルギーを利用する方法。
【請求項１３】
前記ＣＯ２が冷却された前記熱水（Ｔ）中に供給され、次に、ＣＯ２と混合された前記熱水が帯水層（０）中に再注入され、二酸化炭素と混合された前記熱水の再注入時の気泡の形成が、ＣＯ２が前記熱水に完全に溶解するように二酸化炭素の再循環圧力（ｐｒ）及び再循環温度（Ｔｒ）が選択されることで妨げられる、請求項１〜１１のいずれか一項に記載の帯水層流体（Ａ）の内部エネルギーを利用する方法。
【請求項１４】
前記帯水層流体（Ａ）を分離装置（１１）に供給する前に、前記分離装置（１１）の上流に配置された、圧力を電気に変換する圧力解放装置において、前記帯水層流体（Ａ）の圧力を解放する、請求項１〜１３のいずれか一項に記載の帯水層流体（Ａ）の内部エネルギーを利用する方法。
【請求項１５】
閉回路内で帯水層（０）からのガス（Ｇ）及び場合により原油（Ｅ）と混じり合った熱水（Ｔ）の内部エネルギーを利用するための地熱プラントであって、
−  帯水層流体（Ａ）のための少なくとも１つの汲上設備（１０）、
−  前記帯水層流体（Ａ）を熱水（Ｔ）とガス（Ｇ）とに分離するためのガス分離装置（１１）、
−  任意選択的に、すでに脱気された熱水（Ｔ）から前記原油を分離するための分離装置（１１ａ）、
−  前記熱水（Ｔ）に含まれる熱エネルギーを、循環された熱媒体を加熱するために利用するための少なくとも１つの装置、及び／又は、発電のために前記熱水（Ｔ）に含まれる前記熱エネルギーを利用するための少なくとも１つの設備、及び／又は、脱塩プラントを運転するための少なくとも１つの設備、
−  分離されたガスのための燃焼装置（２４）であって、少なくとも１つの発電用ジェネレーター（２５）に結合された燃焼装置（２４）、
−  任意選択的に、分離された原油のための燃焼装置（２４ａ）であって、少なくとも１つの発電用ジェネレーター（２５ａ）に結合された燃焼装置（２４ａ）、
−  煙道ガス流中の熱エネルギーを利用するための少なくとも１つの装置（２８，２９）、
−  煙道ガス流の熱エネルギーを利用するための少なくとも１つの装置（２８，２９）の下流の煙道ガス流中に配置されたＣＯ２を分離するためのガススクラバー（３０）、
−  ガススクラビング後に得られたＣＯ２を、圧縮器に送り、次いで混合装置を介して、前記熱エネルギーを利用するための少なくとも１つの装置もしくは設備又は脱塩プラントから出た熱水用の再循環ライン（１７）に送るための供給／フィードライン、あるいは、ガススクラビング後に得られたＣＯ２を、ＣＯ２を超臨界状態にするための圧縮器に送り、次いで、熱水（Ｔ）用の供給／フィードライン（１７ｂ）とは別個のｓｃＣＯ２用の供給／フィードライン（１７ａ）に送る供給／フィードライン、これらの供給／フィードラインは両方とも帯水層（０）中に通じている、
−  再注入ボアホール（４００）を通じて二酸化炭素及び冷却された前記熱水を前記帯水層（０）中に再注入するための少なくとも１つの再循環設備（４０）、
前記ガス又は前記ガス及び前記原油を燃焼用空気と混合するために、前記少なくとも１つの燃焼装置（２４，２４ａ）の上流に配置された混合装置（２３）、及び
前記燃焼装置の下流に配置された煙道ガス処理／浄化装置（２７）、
を備える地熱プラント。
【請求項１６】
前記燃焼装置（２４）がガスエンジンであり、前記煙道ガス処理装置（２７）が触媒及びラムダセンサーを備え、ラムダセンサーの測定値に依存して酸素の混合を調節する混合装置（２３）が燃焼装置（２４）の上流に配置されており、それによって、制御された燃焼を可能にする、請求項１５に記載の地熱プラント。
【請求項１７】
前記煙道ガス流中の熱エネルギーを利用するための前記少なくとも１つの装置（２８，２９）が前記煙道ガス流中に配置されている、請求項１５又は１６に記載の地熱プラント。
【請求項１８】
前記プラントは、人為的発生源からのさらなる二酸化炭素のための供給／フィードラインを、前記さらなる二酸化炭素を前記煙道ガスに供給可能であるように備え、それにより、前記さらなる二酸化炭素を、混合装置によって、煙道ガスからのＣＯ２とともに、前記冷却された熱水中に溶解させ、再循環設備（４０）によって帯水層（０）中に再循環させることができるか、あるいは、前記さらなる二酸化炭素を、前記煙道ガスからのＣＯ２とともに、超臨界状態にするための圧縮器に供給し、次いで、ｓｃＣＯ２用の再循環ライン／パイプ（１７ａ）を介して帯水層中に再循環させることができる、請求項１５〜１７のいずれか一項に記載の地熱プラント。
【請求項１９】
発電用の設備が、セパレーター（１１）の下流に配置されている、請求項１５〜１８のいずれか一項に記載の地熱プラント。
【請求項２０】
前記熱水に含まれる熱エネルギーを利用するための装置のうちの少なくとも１つ、及び／又は、前記煙道ガス流中の熱エネルギーを利用するための少なくとも１つの装置（２８，２９）が、脱塩プラントの一部である、請求項１５〜２０のいずれか一項に記載の地熱プラント。
【請求項２１】
圧力解放装置が、分離装置（１１）の上流に位置しており、前記帯水層流体（Ａ）の圧力が部分的に電気に変換される、請求項１５〜２０のいずれか一項に記載の地熱プラント。
【請求項２２】
循環された熱媒体を加熱するために前記熱水（Ｔ）に含まれる熱エネルギーを利用するための少なくとも１つの装置が少なくとも１つの熱交換器（１２，１３，１４）であり、発電のために前記熱水（Ｔ）に含まれる熱エネルギーを利用するための少なくとも１つの装置が有機ランキンサイクル（ＯＲＣ）発電プラント（１５，１６）であり、脱塩プラントを運転するための前記少なくとも１つの熱交換器がＬＴＴＤプロセスによって運転される脱塩プラントのためのものである、請求項１５〜２１のいずれか一項に記載の地熱プラント。
【請求項２３】
前記燃焼装置（２４）がガスエンジンであり、前記燃焼装置（２４ａ）がディーゼルエンジンである、請求項１５〜２２のいずれか一項に記載の地熱プラント。
【請求項２４】
前記混合装置がトリクルスクラバー（３４）である、請求項１５〜２３のいずれか一項に記載の地熱プラント。
【請求項２５】
前記煙道ガス処理／浄化装置（２７）が触媒である、請求項１５〜２４のいずれか一項に記載の地熱プラント。
【請求項２６】
前記脱塩プラントが、低温熱脱塩（ＬＴＴＤ）プロセスによって運転される、請求項１５〜２５のいずれか一項に記載の地熱プラント。